(57)【要約】【課題】記憶されている広告コンテンツが閲覧されることなく書き換えられてしまうことで、不良な広告効果となることを解消すること。【解決手段】着脱可能とされた利用者端末１との間においてデータの授受を行うための接続インタフェース２４と、記憶されているデータを書き換え記憶可能とされ、且つ少なくとも広告コンテンツデータが記憶された不揮発性メモリ部２３と、利用者端末１からの不揮発性メモリ部２３へのアクセスを制御するアクセス制御部２１と、を備える広告用記憶媒体２であって、前記アクセス制御部２１は、広告コンテンツデータが記憶された記憶領域への書き換え要求を利用者端末１から受付けたときに、該書き換え要求を無効として広告コンテンツデータの書き換えを禁止する制御を実施する。【選択図】図３
2007122374.tif 000002
【特許請求の範囲】
【請求項１】
利用者が利用可能な利用者端末に着脱可能な所定形状とされ、
該利用者端末との間においてデータの授受を行うための接続インタフェースと、
記憶されているデータを書き換え記憶可能とされ、且つ少なくとも広告コンテンツデータが記憶された不揮発性メモリ部と、
前記接続インタフェースを介した前記利用者端末からの前記不揮発性メモリ部へのアクセスを制御するアクセス制御部と、
を備える広告用記憶媒体であって、
前記アクセス制御部は、少なくとも前記広告コンテンツデータが記憶された記憶領域への書き換え要求を前記利用者端末から受付けたときに、該書き換え要求を無効として広告コンテンツデータの書き換えを禁止する制御を実施することを特徴とする広告用記憶媒体。
【請求項２】
前記広告コンテンツデータは、各種の広告コンテンツへのアクセスを可能とするためのリンクを含むメニューページデータを含み、
前記利用者端末への装着を検知する装着検知手段と、
前記装着検知手段によって前記利用者端末への装着を検知したときに、前記メニューページデータを前記利用者端末に表示させるメニューページ自動表示手段と、
を備えたことを特徴とする請求項１に記載の広告用記憶媒体。
【請求項３】
前記広告コンテンツデータは、該広告コンテンツデータの書き換えを可能とするための、当該広告コンテンツデータの閲覧に関する書き換え可能化条件データを含み、
前記アクセス制御部は、前記書き換え要求を受付けたときに、その時点において前記書き換え可能化条件データから特定される書き換え可能化条件が満たされていることを条件として、該書き換え要求を有効として広告コンテンツデータの書き換えを可能とすることを特徴とする請求項１または２に記載の広告用記憶媒体。
【請求項４】
前記広告コンテンツデータは、その広告コンテンツデータを閲覧可能とするための期限データを含み、
その時点の日時情報を取得する日時情報取得手段を備え、
前記アクセス制御部は、前記広告コンテンツデータへのアクセスがあったときに、前記日時情報取得手段にて取得した日時情報から特定されるその時点の日時が、当該広告コンテンツデータに含まれる期限データから特定される期限内であることを条件として、当該広告コンテンツデータの読み出しを許諾することを特徴とする請求項１〜３のいずれかに記載の広告用記憶媒体。
【請求項５】
前記利用者端末がインターネット網への接続機能を備える端末であって、
前記広告コンテンツデータは、当該広告コンテンツに関連する関連コンテンツが配信可能に記憶された前記インターネット網上のサーバコンピュータへのリンク情報を含むことを特徴とする請求項１〜４のいずれかに記載の広告用記憶媒体。
【請求項６】
前記広告コンテンツデータは、動画コンテンツを含むことを特徴とする請求項１〜５のいずれかに記載の広告用記憶媒体。
【請求項７】
前記広告コンテンツデータが閲覧可能な利用者端末の種別に関する対応種別情報が目視可能に表示された表示部を備えることを特徴とする請求項１〜６のいずれかに記載の広告用記憶媒体。
【発明の詳細な説明】
【技術分野】
【０００１】
本発明は、広告コンテンツを記憶して利用者に無料にて配布するための広告用記憶媒体に関する。
【背景技術】
【０００２】
近年、広告媒体として、広告コンテンツ等が印刷された広告印刷物を含む雑誌等を無料で配布するフリーペーパーが、広告手段として多く利用されるようになってきている。
【０００３】
一方、広告手段として印刷物を用いる場合には、広告印刷物を印刷したり製本したりする製造工程や、その配送や配布等に費用や時間を要することから、近年のインターネットの普及に伴って、広告コンテンツデータが配信可能に記憶されたサーバコンピュータに利用者がインターネット網を通じてアクセスするように誘導して、各利用者に広告コンテンツデータを配信するようにすることで、広告印刷物を印刷したり製本したりする製造工程や、その配送や配布等に要する費用や時間を削減して、より安価に且つ迅速に広告主が広告を実施できるようにしたシステムがある（例えば、特許文献１参照）。
【０００４】
【特許文献１】特開２００３−３１６３０６号公報
【発明の開示】
【発明が解決しようとする課題】
【０００５】
しかしながら、前述の特許文献１のシステムにあっては、利用者（アクセス者）がサーバコンピュータから広告コンテンツデータの配信を受けるためには、広告コンテンツデータを受信するための通信費（パケット代金）を利用者（アクセス者）自身が負担する必要があり、近年、広告コンテンツが、コマーシャルの動画等を含むリッチコンテンツとなってきている状況にあっては、これらの動画等を含む広告コンテンツの配信を受ける場合には、利用者（アクセス者）が負担する通信費（パケット代金）が、大きなものとなってしまうという問題があった。
【０００６】
このため、近年の不揮発性メモリ、特にはフラッシュメモリの製造技術の進歩と、普及による量産効果とにより、これらフラッシュメモリを使用した記憶媒体、特に、利用者が携行できる携帯電話に装着可能なメモリカードの記憶容量の増加と、低価格化の進捗速度が著しく、比較的容量の大きな数十メガバイトのメモリカードが、非常に安価に製造されるようになってきていることから、これら安価となったメモリカードに、広告コンテンツ等を記憶し、フリーペーパーと同様に無償で配布することが考えられるが、この場合においては、フラッシュメモリを使用したメモリカードは、基本的に書き換え記憶が可能であるので、配布時に記憶されている広告コンテンツが、配布された利用者により閲覧されることなく書き換え（削除を含む）られて、配布したメモリカードが通常のメモリカードとして使用されてしまうと、良好な広告効果が得られなくなってしまうという広告用記憶媒体として用いることによる独自の問題があった。
【０００７】
本発明は、このような問題点に着目してなされたもので、記憶された広告コンテンツが書き換え（削除を含む）られてしまうことに伴って、良好な広告効果が得られなくなってしまうという問題を解消することのできる広告用記憶媒体を提供することを目的とする。
【課題を解決するための手段】
【０００８】
上記課題を解決するために、本発明の請求項１に記載の広告用記憶媒体は、
利用者が利用可能な利用者端末に着脱可能な所定形状とされ、
該利用者端末との間においてデータの授受を行うための接続インタフェースと、
記憶されているデータを書き換え記憶可能とされ、且つ少なくとも広告コンテンツデータが記憶された不揮発性メモリ部と、
前記接続インタフェースを介した前記利用者端末からの前記不揮発性メモリ部へのアクセスを制御するアクセス制御部と、
を備える広告用記憶媒体であって、
前記アクセス制御部は、少なくとも前記広告コンテンツデータが記憶された記憶領域への書き換え要求を前記利用者端末から受付けたときに、該書き換え要求を無効として広告コンテンツデータの書き換えを禁止する制御を実施することを特徴としている。
この特徴によれば、利用者端末の利用者が広告コンテンツデータを書き換え（消去を含む）ようとして書き換え要求が該利用者端末から出力されてきても、アクセス制御部により該書き換え要求が無効とされるので、これら広告コンテンツデータが容易に書き換えられてしまうことがないので、良好な広告効果が得られなくなってしまうという問題を解消することができる。
【０００９】
本発明の請求項２に記載の広告用記憶媒体は、請求項１に記載の広告用記憶媒体であって、
前記広告コンテンツデータは、各種の広告コンテンツへのアクセスを可能とするためのリンクを含むメニューページデータを含み、
前記利用者端末への装着を検知する装着検知手段と、
前記装着検知手段によって前記利用者端末への装着を検知したときに、前記メニューページデータを前記利用者端末に表示させるメニューページ自動表示手段と、
を備えたことを特徴としている。
この特徴によれば、利用者端末の利用者は、広告用記憶媒体を利用者端末へ装着することで、自動的にメニューページが表示されるようになるので、利用者は、これらメニューページを表示するために、利用者端末を操作して広告コンテンツにアクセスしてメニューページを表示させる操作を行う必要がなく、利用者の利便性を向上できる。
【００１０】
本発明の請求項３に記載の広告用記憶媒体は、請求項１または２に記載の広告用記憶媒体であって、
前記広告コンテンツデータは、該広告コンテンツデータの書き換えを可能とするための、当該広告コンテンツデータの閲覧に関する書き換え可能化条件データを含み、
前記アクセス制御部は、前記書き換え要求を受付けたときに、その時点において前記書き換え可能化条件データから特定される書き換え可能化条件が満たされていることを条件として、該書き換え要求を有効として広告コンテンツデータの書き換えを可能とすることを特徴としている。
この特徴によれば、利用者が広告コンテンツを閲覧することで、閲覧に関する書き換え可能化条件を満たすようになった場合には、広告コンテンツデータの書き換えが可能化されるので、広告用記憶媒体を通常の記憶媒体としても使用できるようになり、よって、利用者にとっての広告用記憶媒体の利用価値を向上させることができる。
【００１１】
本発明の請求項４に記載の広告用記憶媒体は、請求項１〜３のいずれかに記載の広告用記憶媒体であって、
前記広告コンテンツデータは、その広告コンテンツデータを閲覧可能とするための期限データを含み、
その時点の日時情報を取得する日時情報取得手段を備え、
前記アクセス制御部は、前記広告コンテンツデータへのアクセスがあったときに、前記日時情報取得手段にて取得した日時情報から特定されるその時点の日時が、当該広告コンテンツデータに含まれる期限データから特定される期限内であることを条件として、当該広告コンテンツデータの読み出しを許諾することを特徴としている。
この特徴によれば、期間限定の広告コンテンツを提供することができるので、広告コンテンツを早期の閲覧を促進できるとともに、広告コンテンツの価値を向上させることもできる。
【００１２】
本発明の請求項５に記載の広告用記憶媒体は、請求項１〜４のいずれかに記載の広告用記憶媒体であって、
前記利用者端末がインターネット網への接続機能を備える端末であって、
前記広告コンテンツデータは、当該広告コンテンツに関連する関連コンテンツが配信可能に記憶された前記インターネット網上のサーバコンピュータへのリンク情報を含むことを特徴としている。
この特徴によれば、利用者は、関連コンテンツに簡便にアクセスすることができる。
【００１３】
本発明の請求項６に記載の広告用記憶媒体は、請求項１〜５のいずれかに記載の広告用記憶媒体であって、
前記広告コンテンツデータは、動画コンテンツを含むことを特徴としている。
この特徴によれば、データ容量の大きな動画コンテンツでも、大きな通信費を負担することなく閲覧することができる。
【００１４】
本発明の請求項７に記載の広告用記憶媒体は、請求項１〜６のいずれかに記載の広告用記憶媒体であって、
前記広告コンテンツデータが閲覧可能な利用者端末の種別に関する対応種別情報が目視可能に表示された表示部を備えることを特徴としている。
この特徴によれば、広告用記憶媒体に記憶されている広告コンテンツデータが対応する利用者端末の種別を簡便に把握することができるので、利用者が、自身が利用する利用者端末にて閲覧できない広告コンテンツデータが記憶された広告用記憶媒体を誤って入手（配布を受ける）することを、極力回避することができる。
【発明を実施するための最良の形態】
【００１５】
本発明の実施例を以下に説明する。
【実施例】
【００１６】
本発明の実施例を図面に基づいて説明すると、まず図１は、本発明の実施例における広告用記憶媒体としてのメモリカード２、並びに当該メモリカード２が装着される本発明の利用者端末としての携帯電話機１の全体像を示す斜視図である。
【００１７】
本実施例のメモリカード２は、図１に示すように、携帯電話機１に設けられた本実施例のメモリカード２を装着するための装着部３に着脱可能な所定形状に形成されており、該メモリカード２は、広告コンテンツが読み出し可能に記憶された状態にて無料で利用者に配布され、該メモリカード２の上面部（装着する際に上面を向く面）には、当該メモリカード２の利用対象となる携帯電話機１の種別、具体的には、当該携帯電話機１が利用可能な携帯電話会社の会社名を示す名称が目視可能に印字された本発明の表示部となるリライトラベル２７が貼着されている。
【００１８】
ここで、メモリカード２の利用対象となる携帯電話機１の種別について説明すると、本実施例のメモリカード２には、予め携帯電話機１の種別（キャリアの種別毎）に作成された後述の広告コンテンツデータが記憶されており、メモリカード２の利用対象となる携帯電話機１の種別とは、本実施例においては、キャリアの種別とされているが、本発明はこれに限定されるものではなく、これら種別として、当該メモリカード２に記憶されている広告コンテンツデータを表示出力可能な機種の名称、例えば、当該携帯電話機１が準拠する規格の名称や、搭載されている閲覧プログラムの種別（名称）等であっても良い。
【００１９】
このように本実施例のメモリカード２には、記憶されている広告コンテンツデータが閲覧可能な携帯電話機１（利用者端末）の種別に関する対応種別情報が目視可能に表示されたリライトラベル２７を備えており、該リライトラベル２７によって請求項７における表示部が形成されている。
【００２０】
初めに、本実施例に用いた利用者端末としての携帯電話機１について、図２に基づいて簡潔に説明すると、各種の情報を表示出力するためのディスプレイ４と、数字や方向指示や決定ボタン等からなる入力部５と、図示しな携帯電話会社の基地局との間の無線通信を実施するための無線通信部１６と、ディジタル信号を制御して前記無線通信部における無線通信を制御するためのベースバンド処理部やアプリケーションプログラムの実行を制御するためのアプリケーション処理部等からなる処理部１１と、電話帳データや発着信履歴や各種の機能を提供するためのアプリケーションプログラム等の各種データを記憶するためのメモリ１２と、無線アンテナ１３と、処理部１１からの制御信号に基づいてディスプレイ４に各種データを出力させるディスプレイドライバ１４と、処理部１１からの制御信号に基づいてメモリカード２との間で各種制御コマンドの送信や各種データの送受信を行うメモリカードドライバ１５と、から構成されており、図示しない基地局を通じて、一般の電話機や他の携帯電話機との間における無線による通話機能を有するとともに、該基地局並びに当該携帯電話会社のゲートウェイサーバを介して、インターネット網上のサーバコンピュータや、該インターネット網に接続されている他の端末等との間においてデータの送受信を行うインターネット接続機能を備えている一般的な携帯電話機である。
【００２１】
そして、本実施例の携帯電話機１は、図１に示すように、メモリカード２を装着するための横長長方形状の装着部３を、携帯電話機１の側面部に有しており、該装着部３には、メモリカードとして一般的に用いられている、ＳＤ（Secure Digital）（ＳＤアソシエーション登録商標）メモリカード規格や、ｍｉｎｉＳＤメモリカード（ＳＤアソシエーション登録商標）規格のメモリカードを着脱できるようになっている。
【００２２】
次に、本実施例のメモリカード２について説明すると、本実施例のメモリカード２は、前記装着部３に着脱可能とするために、該装着部３に着脱可能な前述のＳＤ（Secure Digital）（ＳＤアソシエーション登録商標）メモリカード規格や、ｍｉｎｉＳＤメモリカード（ＳＤアソシエーション登録商標）規格のメモリカードと同一の所定形状の外観形状（接続端子等の配列も含む）とされている。
【００２３】
この本実施例に用いたメモリカード２の構成について、図２に基づいて説明すると、メモリカード２の内部には、携帯電話機１のメモリカードドライバ１５から送信されてくる各種制御コマンドやデータに応じて、後述するフラッシュメモリ２３へのアクセスの制御を行う本発明のアクセス制御部としてのインタフェース制御部２１と、当該メモリカード２の識別情報等を含む固有情報ならびにインタフェース制御部２１による制御内容を規定する設定情報などを記憶するためのレジスタ２２と、携帯電話機１との間で授受する各種データを記憶するための前記インタフェース制御部２１にローカルに接続された本発明の書き換え記憶可能な不揮発性メモリ部としてのフラッシュメモリ２３と、メモリカードドライバ１５並びにインタフェース制御部２１と接続されて両者の間で各種制御コマンドやデータを仲介する本発明の接続インタフェースとしてのインタフェースドライバ２４とが設けられており、これらのハード的な構成は、通常のメモリカードとほぼ同一の構成とされている。
【００２４】
この本実施例に用いたメモリカード２のレジスタ２２には、図２に示すように、フラッシュメモリ２３へのデータの書き込み及び消去を禁止するか否かを示す書換禁止ビットが含まれており、この書換禁止ビットが１であるときには、インタフェース制御部２１はフラッシュメモリ２３の全領域へのデータの書き込み及び消去、すなわち書き換えを禁止する。また、書換禁止ビットが０であるときには、インタフェース制御部２１はフラッシュメモリ２３の全領域へのデータの書き込み及び消去、すなわち書き換えを許可するようになっている。
【００２５】
また、レジスタ２２には、図２に示すように、書換禁止ビットに対応付けてパスワードが記憶されており、書換禁止ビットの解除（０に設定）は当該パスワードによって制御されるようになっている。後に詳述するが、書換禁止ビットを１に設定（変更）するときにはレジスタ２２に、当該設定を変更（解除）するためのパスワードも記憶されるようになっており、その後、レジスタ２２に記憶されているパスワードと同一のパスワードがインタフェース制御部２１に入力（受付け）されたことに基づいて、書換禁止ビットが解除（０に設定）されるようになっている。
【００２６】
メモリカード２のデータを書き換え記憶可能なフラッシュメモリ２３には、図２に示すように、当該フラッシュメモリ２３に記憶されている全ての広告コンテンツデータの見出し情報を含み、各種広告コンテンツデータへのアクセスが可能とされたメニューページを出力させるための本発明におけるメニューページデータとなるメニューデータや、広告コンテンツデータであるコマーシャル等の本発明の動画コンテンツとしての動画データや、広告コンテンツデータであるクーポン券等の画像データや、広告コンテンツデータであるゲームデータや、当該メモリカード２を書き換え可能に設定するための条件を示す本発明の書き換え可能化条件データ並びに期限データとしての書換可能化条件や、書換可能化条件が充足されたかを判定するための判定プログラムデータ等が記憶されているとともに、書換可能化条件は、予め定められたフラッシュメモリ２３の特定の記憶領域に記憶されている。
【００２７】
つまりは、本実施例の広告コンテンツデータはメニューページデータ、書き換え可能化条件データ、動画コンテンツを含んでおり、本発明の請求項２、請求項３、請求項４、並びに請求項６における広告コンテンツデータに該当する。
【００２８】
また、本実施例のメモリカード２は、配布時に予め定められた所定のパスワードにて前述の書換禁止ビットが１に設定（変更）されることにより、書き換え禁止に設定されている。そして、配布後に予め定められた所定の書換可能化条件を充足することで、書き換え禁止が解除可能とされるようになっている。メモリカード２は広告用記憶媒体であるため、書換可能化条件は、広告コンテンツデータの閲覧に関する条件、例えば、所定のキャンペーン期間が経過したことや、ＣＭ映像の出力回数が所定回数に到達したこと等とすれば良い。
【００２９】
このようにメモリカード２は、予め定められたパスワードを知りえない利用者にあっては、予め定められた書換可能化条件が満たされるまで、フラッシュメモリ２３に記憶されている広告コンテンツデータを容易に書き換えできない状態にて配布されるようになっている。
【００３０】
また、これらメモリカード２は、対応機種、すなわち、携帯電話機１のキャリアごとに作成された書換可能化条件を含む広告コンテンツデータと、パスワードが書き込まれるとともに、書換不可能に設定されて、例えば、フリーペーパーのように店頭にて配布される。このときに、前述のリライトラベル２７により対応機種であるキャリア名が目視可能に表示されているため、利用者は、適宜対応のメモリカード２を選択することができる。
【００３１】
図３は、メモリカード２のインタフェース制御部２１が、携帯電話機１から送信されてくる各種制御コマンドやデータに応じて行う制御内容を示すフローチャートである。
【００３２】
まず、メモリカード２が携帯電話機１の装着部３に装着されて、携帯電話機１のメモリカードドライバ１５にメモリカード２のインタフェースドライバ２４が接続されると、メモリカード２に対して携帯電話機１から電源が供給される。言い換えると、メモリカード２に電源が投入され起動される。
【００３３】
メモリカード２のインタフェース制御部２１には、図示しない電源の投入を検出する回路が搭載されており、メモリカード２が携帯電話機１の装着部３に装着されて電源が投入されたことに基づいて、メモリカード２のインタフェース制御部２１は携帯電話機１からの初期化コマンドの受信待ち処理を実施するようになっている（Ｓａ１）。
【００３４】
つまりは、本実施例のメモリカード２のインタフェース制御部２１に搭載されている電源の投入を検出する回路（図示略）は、本発明の装着検知手段を形成する。
【００３５】
携帯電話機１からの初期化コマンドを受信すると、Ｓａ２のステップに進み初期化処理を行う。初期化処理においては、レジスタ２２に記憶されているメモリカード２の識別情報等を含む固有情報ならびにインタフェース制御部２１による制御内容を規定する設定情報や、当該装着によって携帯電話機１から読み出させて自動実行させるデータが記憶されている起動読出アドレス情報などを含む初期化完了通知が、インタフェース制御部２１から携帯電話機１に送信される。
【００３６】
初期化処理を行った後、インタフェース制御部２１は、Ｓａ３、Ｓａ６、Ｓａ１０からなる動作コマンドの受信待ちステップに進む。
【００３７】
動作コマンドの受信待ちステップ（Ｓａ３、Ｓａ６、Ｓａ１０）においては、インタフェース制御部２１は、フラッシュメモリ２３の指定アドレスに記憶されているデータを抽出して送信する旨の読出コマンド（Ｓａ３）、フラッシュメモリ２３の指定アドレスにデータを書き込む旨の本発明の書き換え要求としての書込コマンド（Ｓａ６）、フラッシュメモリ２３の指定アドレスのデータを消去する旨の本発明の書き換え要求としての消去コマンド（Ｓａ６）、フラッシュメモリ２３へのデータの書き込み及び消去の禁止状態と解除状態を切り替えるための書換禁止コマンド（Ｓａ１０）のいずれかを受信するまで待機する。
【００３８】
尚、書込コマンドと消去コマンドを受信したときの制御内容は概ね同一であるため、Ｓａ６のステップとしてまとめて記述している。
【００３９】
動作コマンドの受信待ちステップ（Ｓａ３、Ｓａ６、Ｓａ１０）において読出コマンドを受信すると、Ｓａ３からＳａ４のステップに進み、携帯電話機１から読出コマンドとともに送信されてくるフラッシュメモリ２３の記憶領域を特定するためのアドレスデータを受信する。
【００４０】
そして、該アドレスデータの受信後にインタフェース制御部２１は、携帯電話機１（処理部１１）に対して、日時情報出力要求を送信して、その時点の日時情報を携帯電話機１（処理部１１）から取得した後（Ｓ４＋）、フラッシュメモリ２３の特定の記憶領域に記憶されている書換可能化条件から特定される所定のキャンペーン期間の期限を経過しているか否かを、取得したその時点の日時情報から判定し、期限内、すなわち、所定のキャンペーン期間中である場合には、Ｓａ５＋のステップに進み、フラッシュメモリ２３に受信したアドレスデータに対応付けて記憶されているデータを読み出し、該読み出したデータを携帯電話機１に送信して、動作コマンドの受信待ちステップ（Ｓａ３、Ｓａ６、Ｓａ１０）に戻る一方、Ｓａ５の判定において期限外、すなわち、所定のキャンペーン期間を過ぎている場合には、当該アドレスデータに対応付けて記憶されているデータの読み出しを行うことなく動作コマンドの受信待ちステップ（Ｓａ３、Ｓａ６、Ｓａ１０）に戻る。
【００４１】
つまりは、本実施例のインタフェース制御部２１が実施する日時情報を携帯電話機１（処理部１１）から取得するＳ４＋の処理によって、本発明における日時情報取得手段が形成されているとともに、本発明におけるアクセス制御部となる当該インタフェース制御部２１は、フラッシュメモリ２３に記憶されている広告コンテンツデータへのアクセス、すなわち、読出コマンドを受信があったときに、Ｓ４＋にて取得した日時情報から特定されるその時点の日時が、当該広告コンテンツデータに含まれる期限データとなる書換可能化条件から特定される期限内であることを条件として、当該広告コンテンツデータの読み出しを許諾している。
【００４２】
また、動作コマンドの受信待ちステップ（Ｓａ３、Ｓａ６、Ｓａ１０）において書込（もしくは消去）コマンドを受信すると、Ｓａ６からＳａ７のステップに進み、携帯電話機１から書込コマンドとともに送信されてくるフラッシュメモリ２３の記憶領域を特定するためのアドレスデータと、当該記憶領域に書き込むためのデータを受信する。消去コマンドの場合には、アドレスデータのみを受信する。
【００４３】
そして、インタフェース制御部２１は、Ｓａ８のステップに進み、レジスタ２２の書換禁止ビットを取得して、書き換え可能か（書換禁止ビットが０であるか）を判定する。書き換え可能である場合には、Ｙと判定してＳａ９のステップに進み、書込コマンドを受信した場合にはフラッシュメモリ２３に受信したアドレスデータに対応付けてデータを書き込んで、あるいは、消去コマンドを受信した場合にはフラッシュメモリ２３に受信したアドレスデータに対応付けて記憶されているデータを消去する。その後、動作コマンドの受信待ちステップ（Ｓａ３、Ｓａ６、Ｓａ１０）に戻る。
【００４４】
Ｓａ８のステップにおいて、書き換え可能でない（書換禁止ビットが１である）と判定した場合には、携帯電話機１から受信したアドレスデータにデータを書き込むことなく、もしくは、アドレスデータのデータを消去することなく、動作コマンドの受信待ちステップ（Ｓａ３、Ｓａ６、Ｓａ１０）に戻る。
【００４５】
つまりは、本実施例のインタフェース制御部２１は、少なくとも広告コンテンツデータが記憶された記憶領域（本実施例においてはフラッシュメモリ２３の全記憶領域）への書き換え要求としての書込コマンドもしくは消去コマンドを携帯電話機１（利用者端末）から受付けたときに、該書き換え要求を無効として広告コンテンツデータの書き換えを禁止する制御を実施しており、本発明の請求項１におけるアクセス制御部を形成する。
【００４６】
また、動作コマンドの受信待ちステップ（Ｓａ３、Ｓａ６、Ｓａ１０）において書換禁止コマンドを受信すると、Ｓａ１０からＳａ１１のステップに進み、携帯電話機１から書換禁止コマンドとともに送信されてくるパスワードを受信する。
【００４７】
そして、インタフェース制御部２１は、Ｓａ１２のステップに進み、レジスタ２２の書換禁止ビットを取得して、書き換え禁止か（１であるか）を判定する。書き換え禁止でない場合には、Ｎと判定してＳａ１７のステップに進み、レジスタ２２に受信したパスワードを設定する。更に、Ｓａ１８のステップに進んでレジスタ２２の書換禁止ビットを書き換え禁止（１）に設定する。その後、動作コマンドの受信待ちステップ（Ｓａ３、Ｓａ６、Ｓａ１０）に戻る。
【００４８】
Ｓａ１２のステップにおいて、レジスタ２２の書換禁止ビットが書き換え禁止（１）であった場合には、Ｙと判定してＳａ１３のステップに進み、レジスタ２２に記憶されているパスワードを読み出す。そして、Ｓａ１４のステップに進み、受信したパスワードと読み出したパスワードが一致したかを判定する。Ｓａ１４のステップにおいて、受信したパスワードと読み出したパスワードが一致しなかった場合には、Ｎと判定して、何も処理を実施せずに動作コマンドの受信待ちステップ（Ｓａ３、Ｓａ６、Ｓａ１０）に戻る。
【００４９】
Ｓａ１４のステップにおいて、受信したパスワードと読み出したパスワードが一致した場合には、Ｙと判定してＳａ１５のステップに進み、レジスタ２２の書換禁止ビットを書き換え可能（０）に設定する。更に、レジスタ２２に記憶されているパスワードを消去して、動作コマンドの受信待ちステップ（Ｓａ３、Ｓａ６、Ｓａ１０）に戻る。
【００５０】
図４は、携帯電話機１の処理部１１が実施するメモリカード２の装着検知処理の制御内容を示すフローチャートである。
【００５１】
本実施例の携帯電話機１の処理部１１は、装着部３にメモリカード２が装着されて、メモリカードドライバ１５にメモリカード２のインタフェースドライバ２４が接続されると、該接続を検知して、メモリカード２に電源を供給する。そして、図４に示すメモリカード装着検知処理を実施する。
【００５２】
メモリカード装着検知処理においては、まずＳｂ１のステップに進み、メモリカードドライバ１５を介して前述の初期化コマンドをメモリカード２に送信する。
【００５３】
そして、初期化コマンドに対する応答として、前述の初期化完了通知の受信待ちに移行し（Ｓｂ１＋）、初期化完了通知の受信に基づいてＳｂ２のステップに進む。
【００５４】
Ｓｂ２のステップでは、Ｓｂ１にてインタフェース制御部２１から受信した初期化完了通知に含まれる起動読出アドレス情報から特定される所定アドレス（例えば、０番地〜１００番地）を示すアドレスデータとともに読出コマンドを送信する。
【００５５】
つまり、本実施例では、メモリカード２を装着すると、当該装着に基づいて起動読出アドレス情報を含む初期化完了通知が携帯電話機１に送信されることで、起動読出アドレス情報から特定されるメモリカード２の所定アドレス（例えば、０番地〜１００番地）に記憶されているデータを、携帯電話機１側から読み出させて、該携帯電話機１に当該読み出したデータに応じた処理を行う自動起動処理を、メモリカード２が実施させるようになっており、該自動起動処理において読み出されるデータとしては、前述のメニューデータとされている。
【００５６】
すなわちメモリカード２が、携帯電話機１への装着を検知することにより携帯電話機１に自動起動処理を実施させることで、該自動起動処理における読出コマンドに基づいてインタフェース制御部２１が携帯電話機１に送信したメニューデータに基づいて、携帯電話機１のディスプレイ４にメニューページを表示出力させるようになっている。
【００５７】
つまりは、本実施例のインタフェース制御部２１は、装着検知手段としての電源の投入を検出する回路（図示略）によって携帯電話機１への装着を検知したときに、初期化完了通知を送信することで携帯電話機１に自動起動処理を実施させて、メニューページデータを携帯電話機１に表示させており、該初期化完了通知を送信する初期化処理を実施する該インタフェース制御部２１によって本発明のメニューページ自動表示手段が形成されている。
【００５８】
尚、自動起動処理においては読み出すデータをアドレスで指定する構成としているが、携帯電話機１の処理部１１は、一般的にファイル名からアドレスを特定する仕組みを本来備えているため、読み出すデータをファイル名で指定する構成としても良い。
【００５９】
Ｓｂ２において読出コマンドを送信した後、Ｓｂ３に進んで、当該所定アドレスに対応して記憶されているデータ（読み出しデータ）を受信し、Ｓｂ４に進んで、所定アドレスのデータが携帯電話機１に搭載されているソフトウェア（例えば、Ｗｅｂブラウザ、動画再生ソフトウェア、音声再生ソフトウェア、アプリケーションプログラム実行環境など）により出力可能かどうかを判定する。出力可能でない場合には、Ｎと判定して処理を終了する。
【００６０】
出力可能な場合には、Ｙと判定してＳｂ５のステップに進み、出力可能なソフトウェアによりメモリカード２から読み出したメニューデータを出力し、処理を終了する。例えば、読み出したメニューデータがＨＴＭＬ（Hyper Text Markup Language）ファイルとして作成されたメニューページの場合には、携帯電話機１のＷｅｂブラウザにより出力（表示）する。また、読み出したメニューデータがアプリケーションプログラムとして作成されたメニューアプリの場合には、携帯電話機１のアプリケーションプログラム実行環境により出力（実行・表示）する。
【００６１】
本実施例においては、読み出したメニューデータはアプリケーションプログラムとして作成されたメニューアプリであり、携帯電話機１のアプリケーションプログラム実行環境によりメニューページとして出力（実行・表示）されるものとする。
【００６２】
例えば、図６（ａ）に示すようなメニューページが表示される。このメニューページには、フラッシュメモリ２３に記憶されている全ての広告コンテンツデータにアクセスするための見出し情報として、「ＣＭ映像」（動画データ）へのリンクと、クーポン券（画像データ）へのリンクと、「お試しゲーム」（ゲームデータ）へのリンクと、後述する書換可能化条件の表示ページへのリンクと、が表示されている。
【００６３】
図５は、携帯電話機１の処理部１１が、メニューアプリの実行に基づいて実施するメニュー処理の制御内容を示すフローチャートである。
【００６４】
図６（ａ）に示すメニューページが出力されている状態において、利用者からのメニューの選択を受付けると（Ｓｃ１）、例えば、「クーポン券」の選択を受付けると、Ｓｃ２のステップに進み、選択されたクーポン券データを取得するための読出コマンドをメモリカード２に送信してクーポン券データを取得する選択データ取得処理を実施する。その後Ｓｃ３に進み、選択データ出力処理を実施してクーポン券データを出力する。
【００６５】
広告コンテンツデータの一形態であるクーポン券データには、当該クーポン券の提供店舗に関連する関連コンテンツが配信可能に記憶されたインターネット網上のサーバコンピュータへのリンク情報が含まれており、例えば図６（ｂ）に示すように、クーポン券の提供店舗の所在地を確認可能なコンテンツの配信を要求するための「ネットで場所を確認」というリンク情報が含まれている。
【００６６】
つまりは、本実施例の広告コンテンツデータは、当該広告コンテンツに関連する関連コンテンツが配信可能に記憶されたインターネット網上のサーバコンピュータへのリンク情報を含んでおり、本発明の請求項５における広告コンテンツデータに該当する。
【００６７】
そして、Ｓｃ４のステップに進み、メモリカード２の配布時に予め定められている書換可能化条件を充足したかを判定する。この判定処理は、メモリカード２のフラッシュメモリ２３に予め記憶されている広告コンテンツデータである判定プログラムを携帯電話機１に読み出させて、携帯電話機１にて判定プログラムを実行させることにより実施する。
【００６８】
本実施例の書換可能化条件は、図６（ｃ）に示すように、所定のキャンペーン期間（１０日後）が経過したか、もしくは、ＣＭ映像を所定回数（１５回）見たか、のいずれかとされている。このような場合には、キャンペーン期間が終了する日付と、所定回数（１５）を格納したＣＭ画像の残り出力回数カウンタを書換可能化条件としてフラッシュメモリ２３に記憶しておけば良い。
【００６９】
ここで、キャンペーン期間が終了する日付に到達したかを判定する処理について説明すると、フラッシュメモリ２３に予め記憶されている広告コンテンツデータである判定プログラムは、携帯電話機１や基地局、もしくは、インターネット網を介して接続されたサーバコンピュータ（図示略）のいずれかの現在日時を取得するための日時取得ステップを有しており、日時取得ステップにより取得した現在日時とキャンペーン期間が終了する日付を比較することにより、キャンペーン期間が終了する日付に到達したかが判定されるようになっている。
【００７０】
また、ＣＭ画像の残り出力回数カウンタにかかる処理について説明すると、図６（ａ）に示すメニューページにおいて「ＣＭ画像」が選択されてその出力を行った後、書換可能化条件の充足判定処理（Ｓｃ４）を実施するようになっているが、この判定処理において、ＣＭ画像の残り出力回数カウンタの減算処理を実施するようになっている。詳しくは、まず、メモリカード２の配布時に予め定められたパスワードとともに書換禁止コマンドをメモリカード２に送信する。すると、書き換え禁止が解除されて書き換え可能な状態になる。この状態において、メモリカード２に記憶されているＣＭ画像の残り出力回数カウンタを減算更新し、再度、パスワードとともに書換禁止コマンドをメモリカード２に送信して、メモリカード２を書き換え禁止の状態とする。
【００７１】
このように、書換可能化条件を充足したかの判定に際しては、キャンペーン期間が終了する日付と現在日時を比較するか、ＣＭ映像の残り出力回数カウンタが０に到達したかを判定すれば良い。
【００７２】
尚、携帯電話機１にて判定可能な条件であれば、書換可能化条件を任意に設定して良いのは言うまでもない。例えば、メモリカード２の内部にアンケートを入力するページを用意しておき、該ページに入力したアンケートを、携帯電話機１からメモリカード２を配布した事業者のサーバコンピュータに送信することを書換可能化条件としても良い。
【００７３】
Ｓｃ４において、書換可能化条件を充足したと判定した場合には、Ｙと判定してＳｃ５に進み、前述の判定プログラムの実行に基づいて書換可能化処理を実施する。詳しくは、メモリカード２の配布時に予め定められたパスワードとともに書換禁止コマンドをメモリカード２に送信することで、書き換え禁止を解除させてメモリカード２を書き換え可能な状態にする。
【００７４】
この書換可能化処理においては、現在日時が期限データと到達したことを書換可能化条件としている場合には、書き換え禁止を解除させてメモリカード２を書き換え可能な状態にするだけでなく、判定プログラムの実行に基づいて広告コンテンツデータを消去する消去コマンドをインタフェース制御部２１に送信させることにより、インタフェース制御部２１が広告コンテンツデータを消去することで、不必要に広告コンテンツデータが残存して、これら広告コンテンツデータが不正に使用されることがないように消去する。
【００７５】
書換可能化条件が充足された場合に書換可能化処理を実施した後、及び、書換可能化条件が充足されなかった場合には、Ｓｃ１に移行して、再度利用者の操作待ち状態となる。
【００７６】
以上のように、本実施例のインタフェース制御部２１においては、書込コマンドもしくは消去コマンドを受付けたときに、その時点におけるレジスタ２２の書換禁止ビットが１の場合に、書き換え要求を無効としている。一方、広告コンテンツデータへのアクセスに基づいて、広告コンテンツデータを形成する判定プログラムを携帯電話機１に実行させることにより、予め定められてフラッシュメモリ２３に記憶されている書き換え可能化条件が満たされているかを判定させて、満たされている場合には、レジスタ２２の書換禁止ビットを０に設定させるようになっているが、本発明はこれに限定されるものではなく、これら携帯電話機１に実行させる判定プログラムを、インタフェース制御部２１が実施するようにしても良い。
【００７７】
つまりは、本実施例のインタフェース制御部２１は、書き換え要求としての書込コマンドもしくは消去コマンドを受付けたときに、その時点において書き換え可能化条件データから特定される書き換え可能化条件が満たされている旨としての書換禁止ビットが０に設定されていることを条件として、該書き換え要求を有効として広告コンテンツデータの書き換えを可能とする制御を実施しており、本発明の請求項３におけるアクセス制御部を形成する。
【００７８】
以上、本実施例によれば、携帯電話機１の利用者が広告コンテンツデータを書き換え（消去を含む）ようとして書き換え要求が該携帯電話機１から出力されてきても、インタフェース制御部２１により該書き換え要求が無効とされるので、これら広告コンテンツデータが容易に書き換えられてしまうことがないので、良好な広告効果が得られなくなってしまうという問題を解消することができる。
【００７９】
また、本実施例によれば、携帯電話機１の利用者は、メモリカード２を携帯電話機１へ装着することで、自動的にメニューページ（図６（ａ）参照）が表示されるようになるので、利用者は、これらメニューページを表示するために、携帯電話機１を操作して広告コンテンツにアクセスしてメニューページを表示させる操作を行う必要がなく、利用者の利便性を向上できる。
【００８０】
また、本実施例によれば、利用者が広告コンテンツを閲覧することで、閲覧に関する書換可能化条件を満たすようになった場合には、広告コンテンツデータの書き換えが可能化されるので、メモリカード２を通常の記憶媒体としても使用できるようになり、よって、利用者にとってのメモリカード２の利用価値を向上させることができる。
【００８１】
また、本実施例によれば、インタフェース制御部２１が期限内においてのみ広告コンテンツの読み出しを許諾するので、期間限定の広告コンテンツを提供することができ、広告コンテンツを早期の閲覧を促進できるとともに、広告コンテンツの価値を向上させることもできる。
【００８２】
また、本実施例によれば、クーポン券データには、当該クーポン券の提供店舗に関連する関連コンテンツが配信可能に記憶されたインターネット網上のサーバコンピュータへのリンク情報が含まれており、利用者は、関連コンテンツである提供店舗に関連する関連コンテンツに簡便にアクセスすることができる。
【００８３】
また、本実施例によれば、データ容量の大きな動画コンテンツでも、大きな通信費を負担することなく閲覧することができる。
【００８４】
また、本実施例によれば、メモリカード２に記憶されている広告コンテンツデータが対応する携帯電話機１のキャリア種別を簡便に把握することができるので、利用者が、自身が携行する携帯電話機１にて閲覧できない広告コンテンツデータが記憶されたメモリカード２を誤って入手（配布を受ける）することを、極力回避することができる。
【００８５】
以上、本発明の実施例を図面により説明してきたが、具体的な構成はこれら実施例に限られるものではなく、本発明の要旨を逸脱しない範囲における変更や追加があっても本発明に含まれる。
【００８６】
例えば、前記実施例では、携帯電話機１が、メモリカード２の携帯電話機１への装着に基づいて、メモリカード２の所定アドレスにアクセスして読出したメニューページデータを実行する自動起動処理を有する構成としているが、本発明はこれに限定されるものではなく、例えば、メモリカード２を配布する事業者のサーバコンピュータをインターネット網上に設置するとともに、このサーバコンピュータにて携帯電話機１の待ち受け状態にて常時実行されるアプリケーションプログラム、いわゆる待ち受けアプリを配布するようにしておき、該待ち受けアプリに対して、メモリカード２の携帯電話機１への装着に基づいて、メモリカード２の所定アドレスにアクセスして読出したメニューページデータを実行する自動起動処理ステップを組み込んでおく構成としても良い。このような待ち受けアプリを携帯電話機１にて実行させておけば、メモリカード２の自動起動処理を有しない携帯電話機１においても、メモリカード２の自動起動処理を行わせることが出来る。
【００８７】
また、待ち受けアプリを携帯電話機１にて実行させておく構成にあっては、この待ち受けアプリに対して、さらに見出し情報を出力するためのメニューアプリや、書換可能化条件を充足したかを判定するための前述の判定プログラムなど、広告コンテンツデータを構成するデータのうち共通化可能なデータを組み込んでおけば、一例としては、アプリケーションプログラム部分を待ち受けアプリに組み込み、メモリカード２にはデータ部分だけを残すようにしておけば、メモリカード２に書き込む広告コンテンツデータの容量を低減でき、純粋な広告のデータを記憶するための領域を更に確保することができる。
【００８８】
例えば、メニューアプリの場合には、見出し情報のみをメモリカード２に記憶しておき、見出し情報を出力するアプリケーションプログラム部分を待ち受けアプリに含めることで、待ち受けアプリがメモリカード２から見出し情報（例えば、ＨＴＭＬデータ）を取得して出力することでメニューページを表示できるようになり、広告コンテンツデータの容量を低減できる。
【００８９】
また、前記実施例においては、フラッシュメモリ２３の記憶領域の全てを書き込みや消去の禁止の対象としているが、本発明はこれに限定されるものではなく、これら書き込みや消去の禁止を、対象のアドレスデータと対応付けてレジスタ等に格納しておくことにより、広告コンテンツデータが記憶された記憶領域のみを書き込みや消去の禁止対象とし、それ以外のフラッシュメモリ２３の記憶領域は、書き込みや消去の禁止対象とせずに、通常のメモリカードとして使用できるようにしても良い。
【００９０】
また、前記実施例では、書換可能化条件に含まれるキャンペーン期間の終了日付を期間データとして、書換可能化の日付と読み出し可能な日付とを同一の日付としているが、本発明はこれに限定されるものではなく、これらの日付を個別として、期間データを書換可能化条件とは別個のものとしても良い。
【００９１】
また、前記実施例では、利用者端末として、利用者が携行可能な携帯電話機１を例示しており、このようにすることは、利用者が移動先等においても、空いている時間等に広告コンテンツを自由に閲覧できるようになり、利用者の利便性を向上できることから好ましいが、本発明はこれに限定されるものではなく、これら携帯電話機１を、その他の携行可能な小型のコンピュータ端末としたり、更には、これら利用者端末をデスクトップパソコン等の携行不能な端末としても良い。
【００９２】
また、前記実施例では、広告用記憶媒体としてメモリカード２を例示しているが、本発明はこれに限定されるものではなく、利用者端末としてノートパソコンやデスクトップパソコン等を用いる場合には、これらメモリカード２に代えて、これら広告用記憶媒体を、これらノートパソコンやデスクトップパソコン等に汎用的に設けられているＵＳＢ（Universal Serial Bus）インターフェイスに着脱可能なＵＳＢメモリとしても良い。
【図面の簡単な説明】
【００９３】
【図１】本発明の実施例における広告用記憶媒体の全体像を示す斜視図である。
【図２】広告用記憶媒体の構成を示すブロック図である。
【図３】広告用記憶媒体のインタフェースの制御内容を示すフローチャートである。
【図４】携帯電話機の処理部の制御内容を示すフローチャートである。
【図５】広告コンテンツデータの制御内容を示すフローチャートである。
【図６】（ａ）は広告コンテンツを構成するメニューページを示す図であり、（ｂ）は広告コンテンツの一形態であるクーポン券を示す図であり、（ｃ）は広告コンテンツを構成する書換可能化条件の表示ページを示す図である。
【符号の説明】
【００９４】
１                携帯電話機
２                メモリカード（広告用記憶媒体）
３                装着部
４                ディスプレイ
１１              処理部
１２              メモリ
１３              無線アンテナ
１４              ディスプレイドライバ
１５              メモリカードドライバ
２１              インタフェース制御部
２２              レジスタ
２３              フラッシュメモリ
２３              インタフェースドライバ
【図１】
2007122374.tif 000003
【図２】
2007122374.tif 000004
【図３】
2007122374.tif 000005
【図４】
2007122374.tif 000006
【図５】
2007122374.tif 000007
【図６】
2007122374.tif 000008